(57)【要約】【課題】放射線下で高い飛散抑制効果が得られるとともに、周辺環境への影響が低く、カメラなどに付着しても容易に除去できる安価な放射性ダストの飛散抑制方法を提供する。【解決手段】放射能汚染した飛散物に付着した放射性ダストの飛散を抑制する方法であって、アクリル系合成樹脂エマルジョンを主成分として含有する飛散防止剤を、放射能汚染した飛散物または放射性ダストに対して霧状または液滴状に散布するようにする。【選択図】なし【特許請求の範囲】
【請求項１】
放射能汚染した飛散物に付着した放射性ダストの飛散を抑制する方法であって、
アクリル系合成樹脂エマルジョンを主成分として含有する飛散防止剤を、放射能汚染した飛散物または放射性ダストに対して霧状または液滴状に散布することを特徴とする放射性ダストの飛散抑制方法。
【請求項２】
タンク内の水に飛散防止剤の原液を添加して所定の希釈濃度の飛散防止剤を作製した後、タンク内を撹拌しつつ飛散防止剤を霧状または液滴状に散布することを特徴とする請求項１に記載の放射性ダストの飛散抑制方法。
【請求項３】
飛散防止剤を霧状または液滴状に散布可能な散布装置を放射能汚染した飛散物または放射性ダストの近くに配置した後、この散布装置を遠隔操作して飛散防止剤を放射能汚染した飛散物または放射性ダストに散布することを特徴とする請求項１または２に記載の放射性ダストの飛散抑制方法。
【発明の詳細な説明】
【技術分野】
【０００１】
本発明は、放射性ダストの飛散抑制方法に関するものである。
【背景技術】
【０００２】
従来、原子力発電所で爆発事故などが起きると、放射能汚染された飛散物が周辺に散乱することがある。これらは一般に高線量であるため作業員の手作業による撤去回収は困難であり、遠隔操作によるガレキ回収方法の適用が多々検討されている。しかし、ガレキには高線量の放射性ダストが付着していることから、不用意に触れることによりそのダストが舞上り、周囲の作業員を含め一般環境に向けて飛散するおそれがある。
【０００３】
一方、従来の飛散抑制技術として、例えば、除染作業中に放射性物質が飛散することを防止する技術（例えば、特許文献１を参照）や、アスベスト除去作業中にアスベスト粉じんが拡散することを抑制する技術（例えば、特許文献２を参照）などが知られている。
【先行技術文献】
【特許文献】
【０００４】
【特許文献１】特開２０１４−０６２８９４号公報
【特許文献２】特許第５４０３３４８号公報
【発明の概要】
【発明が解決しようとする課題】
【０００５】
本発明者が、上述した放射性ダストの飛散抑制対策として、アスベスト粉じんの飛散防止剤として広く利用されている無機系薬剤の適用を検討したところ、以下のような問題があることが判った。
【０００６】
（１）コストの問題
薬剤の材料費が高価である。
（２）周辺環境への影響
薬剤のｐＨ値が高く、希釈してもｐＨ値が１０近くあり、海洋放流への配慮が必要である。
（３）放射線下での影響
放射線下による飛散抑制効果が不明である。
（４）カメラへの付着
薬剤がカメラのレンズ表面のガラスに付着すると、除去ができない。遠隔操作作業ではモニタリング用のカメラを必要とするため、カメラが見えにくくなることは致命的である。
【０００７】
このため、放射線下で高い飛散抑制効果が得られるとともに、周辺環境への影響が低く、カメラなどに付着しても容易に除去できる安価な飛散抑制方法の開発が望まれていた。
【０００８】
本発明は、上記に鑑みてなされたものであって、放射線下で高い飛散抑制効果が得られるとともに、周辺環境への影響が低く、カメラなどに付着しても容易に除去できる安価な放射性ダストの飛散抑制方法を提供することを目的とする。
【課題を解決するための手段】
【０００９】
上記した課題を解決し、目的を達成するために、本発明に係る放射性ダストの飛散抑制方法は、放射能汚染した飛散物に付着した放射性ダストの飛散を抑制する方法であって、アクリル系合成樹脂エマルジョンを主成分として含有する飛散防止剤を、放射能汚染した飛散物または放射性ダストに対して霧状または液滴状に散布することを特徴とする。
【００１０】
また、本発明に係る他の放射性ダストの飛散抑制方法は、上述した発明において、タンク内の水に飛散防止剤の原液を添加して所定の希釈濃度の飛散防止剤を作製した後、タンク内を撹拌しつつ飛散防止剤を霧状または液滴状に散布することを特徴とする。
【００１１】
また、本発明に係る他の放射性ダストの飛散抑制方法は、上述した発明において、飛散防止剤を霧状または液滴状に散布可能な散布装置を放射能汚染した飛散物または放射性ダストの近くに配置した後、この散布装置を遠隔操作して飛散防止剤を放射能汚染した飛散物または放射性ダストに散布することを特徴とする。
【発明の効果】
【００１２】
本発明に係る放射性ダストの飛散抑制方法によれば、放射能汚染した飛散物に付着した放射性ダストの飛散を抑制する方法であって、アクリル系合成樹脂エマルジョンを主成分として含有する飛散防止剤を、放射能汚染した飛散物または放射性ダストに対して霧状または液滴状に散布するので、放射線下で高い飛散抑制効果が安価に得られるとともに、周辺環境への影響が低く、カメラなどに付着しても容易に除去できるという効果を奏する。
【００１３】
また、本発明に係る他の放射性ダストの飛散抑制方法によれば、タンク内の水に飛散防止剤の原液を添加して所定の希釈濃度の飛散防止剤を作製した後、タンク内を撹拌しつつ飛散防止剤を霧状または液滴状に散布するので、散布前に所定の希釈濃度の飛散防止剤を大量に準備することができるとともに、散布中にタンク内で飛散防止剤が分離することを防止することができるという効果を奏する。
【００１４】
また、本発明に係る他の放射性ダストの飛散抑制方法によれば、飛散防止剤を霧状または液滴状に散布可能な散布装置を放射能汚染した飛散物または放射性ダストの近くに配置した後、この散布装置を遠隔操作して飛散防止剤を放射能汚染した飛散物または放射性ダストに散布するので、作業員がガレキ等の飛散物または放射性ダストの近くに立ち入らずに散布作業を行うことができるという効果を奏する。
【図面の簡単な説明】
【００１５】
【図１】図１は、粉じん飛散抑制効果の確認試験に用いた試験装置を示す図である。
【図２】図２は、試験結果を示す図である。
【図３】図３は、ばく露試験結果（比較例）を示す図である。
【図４】図４は、ばく露試験結果（実施例）を示す図である。
【発明を実施するための形態】
【００１６】
以下に、本発明に係る放射性ダストの飛散抑制方法の実施の形態を図面に基づいて詳細に説明する。なお、この実施の形態によりこの発明が限定されるものではない。
【００１７】
（本発明に至った経緯）
上述したように、アスベスト粉じんの飛散防止剤として広く利用されている無機系薬剤の適用には、上記の（１）〜（４）の問題があったことから、本発明者は、放射線下で長期間ばく露されても飛散抑制効果を維持できるより低コストな薬剤を見出すため、後述する様々な試験を行った。この結果、アクリル系合成樹脂エマルジョンを主成分として含有するアスベスト粉じん用の飛散防止剤が好適であることが判り、本発明に至った。
【００１８】
アクリル系合成樹脂エマルジョンを主成分として含有するアスベスト粉じん用の飛散防止剤としては、例えばファイバーコレクトがある。ファイバーコレクトはアスベスト対策工事で適用されており、有機系の材料で構成された水溶性の飛散防止剤である。
【００１９】
次に、このファイバーコレクトを含めたいくつかの飛散防止剤に関する性能試験および試験結果について説明する。
【００２０】
（飛散防止剤による粉じん抑制効果の確認試験）
まず、飛散防止剤による粉じん抑制効果の確認試験および試験結果について説明する。
【００２１】
この試験は、周囲に浮遊する粉じん影響を受けないように、小型チャンバー内に希釈濃度ごとにサンプルを発じんさせ、デジタル粉じん計（０．１〜１０μｍ）で相対濃度を測定するものである。測定は発じん前の１分間バックグラウンドし、発じん後１分間粉じんの相対濃度を測定し、その値を評価した。
【００２２】
粉じん飛散対象サンプルには、ルーフブロック（屋上ブロック、縦横寸法９５ｍｍ×９５ｍｍ）と、このルーフブロックを破砕し、０．３ｍｍのふるいで粒度調整した微粉を用いた。
【００２３】
図１（１）はルーフブロック微粉用の試験装置、（２）はルーフブロック衝撃・破砕用の試験装置である。図１（１）の試験装置は、透明プラスチック製チャンバー１（幅４００ｍｍ×奥行き４００ｍｍ×高さ４５０ｍｍ）と、チャンバー１の上面中央に立設した縦筒２とからなる。チャンバー１内の底面中央には粉じん飛散対象サンプル５が置かれており、縦筒２内に入れた棒状ハンマー３（１ｋｇ）をサンプル５に落とすことによって、サンプル５から発じんさせ、拡散粉じんをチャンバー１内の粉じん計ＤＭで測定する。一方、図１（２）の試験装置では、鉄球４（１ｋｇ）をサンプル５に落として発じんさせる。
【００２４】
飛散防止剤の希釈濃度は、原液、５倍、１０倍、３０倍とした。ルールブロック本体はブロックを飛散防止剤に浸漬させて乾燥させ、微粉はプラスチックシャーレに１０ｇ分取し、１．５ｋｇ／ｍ２相当の飛散防止剤を添加後乾燥した。塗布量は１．５リットル／ｍ２とした。
【００２５】
本発明の実施例の飛散防止剤としてはファイバーコレクトを用い、比較例の飛散防止剤としてはＡＧＵＡ−Ａ３０００、アステクターＳ、アステクターＲ（アステクターは登録商標）、水を用いた。
【００２６】
表１は、試験結果の一覧表である。この表では、有姿のままの試験結果も併せて記載している。飛散抑制効果については有姿との比で表している。表中、比較例１は水、比較例２はＡＧＵＡ−Ａ３０００、比較例３はアステクターＳ、比較例４はアステクターＲ、実施例はファイバーコレクトである。試験回数は、高濃度は３回、中濃度は５回実施し、有効数字一桁で評価を行っている。
【００２７】
【表１】
2019164043.tif 000002
【００２８】
図２は、試験結果を示したものである。（１）はルーフブロック微粉（衝撃）の粉じん飛散量（高濃度）、（２）はルーフブロック微粉（衝撃）の粉じん抑制効果（高濃度）、（３）はルーフブロック破砕時の粉じん飛散量（低濃度）、（４）はルーフブロック破砕時の粉じん飛散量（低濃度）である。
【００２９】
図２（１）に示すように、高濃度粉じんでは、ファイバーコレクト（実施例）だけ、希釈されても粉じん抑制効果があるが、それ以外は水（比較例１）の抑制効果と変わらない。図２（２）に示すように、飛散防止剤の相違により粉じん抑制効果に傾向が見られる。図２（３）に示すように、低濃度粉じんでは全般的に水（比較例１）より粉じん抑制効果は高い。図２（４）に示すように、飛散防止剤の相違により粉じん抑制効果に傾向が見られる。
【００３０】
上記の試験結果から、実施例の飛散防止剤は、試験条件によりダストの発生量を最高１／２００に抑制可能であり、比較例２の飛散防止剤よりもダスト抑制効果が８倍（１／２５程度）以上高いことが確認された。さらに、粉じん飛散抑制効果、付着・固着性能、浸透性等の総合的な評価により実施例の飛散防止剤は原液のまま使用するのではなく、１０倍に希釈すると効果が高いことが確認された。
【００３１】
（放射線下における粉じん抑制効果の確認試験）
次に、放射線下における飛散防止剤による粉じん抑制効果の確認試験および試験結果について説明する。
【００３２】
表２は、試験結果の一覧表である。表中、実施例はファイバーコレクト、比較例２はＡＧＵＡ−Ａ３０００であり、それぞれ表に示される放射線下、非放射線下、送風条件下でばく露試験を行っている。放射線下とは、平均１０ｍＳｖ／ｈ、累積吸収線量３００Ｇｙ（≒３００Ｓｖ）の放射線下である。
【００３３】
図３に比較例２の試験結果を示す。図３中の凡例で「（放）連続」とあるのは、放射線下で飛散防止剤を希釈倍率１０倍で使用した場合（試験体Ａを連続使用）である。また、「（放）交換」とあるのは、放射線下で飛散防止剤を希釈倍率１０倍で使用した場合（試験体Ｂを毎回交換）である。
【００３４】
図４に実施例の試験結果を示す。図４中の凡例で「（放）連続−１倍」とあるのは、放射線下で飛散防止剤を希釈倍率１倍（原液）で使用した場合（試験体Ａを連続使用）である。また、「（放）連続−１０倍」とあるのは、放射線下で飛散防止剤を希釈倍率１０倍（原液）で使用した場合（試験体Ａを連続使用）である。
【００３５】
【表２】
2019164043.tif 000003
【００３６】
表２および図４に示すように、実施例では、粉じん飛散抑制効果はばく露試験期間中（５６週間）平均で２カウント以下（１回当たりの送風試験当たり）、飛散率では０．１％以下であった。さらに、ばく露期間中後半であっても大きく飛散抑制効果が変化することはなかった。また、非放射線下と放射線下では放射線下の方が飛散抑制効果が高い傾向が見られた。ばく露期間中の１年では飛散抑制効果に大きな差は見られなかった。このように、放射線下で１年間放置しても飛散抑制効果は変わらないことが判る。
【００３７】
表２および図３に示すように、比較例２では、粉じん飛散抑制効果はばく露試験期間中（２か月）平均で、２〜６カウント、飛散率で０．１〜０．４％程度であり、実施例より飛散防止性能が若干低い傾向であった。また、実施例と同様、非放射線下と放射線下では放射線下の方が飛散抑制効果が高い傾向が見られた。
【００３８】
（放射性ダストの飛散抑制方法）
次に、本実施の形態に係る放射性ダストの飛散抑制方法について説明する。
【００３９】
本実施の形態に係る放射性ダストの飛散抑制方法は、上述したアクリル系合成樹脂エマルジョンを主成分として含有する飛散防止剤（例えばファイバーコレクト）を、放射性ガレキ（放射能汚染した飛散物）に散布することによって、放射性ガレキに付着した放射性ダストの飛散を抑制するものである。この飛散防止剤は放射性ガレキにまんべんなくムラなく散布するため、以下の手順で散布を行うことが望ましい。
【００４０】
（１）飛散防止剤の散布量は１度に数ｍ３というように大量に散布することが多いため、飛散防止剤を入れるタンクにはあらかじめ水を満たしておき、その中に飛散防止剤の原液を投入することによって、水で所定の希釈倍率（例えば１０倍）に希釈する。
（２）散布するためのノズルはまんべんなくムラなく散布するために、直線状に散布するノズルではなく、ミスト状（霧状）に散布するノズルや、円錐状に液滴を拡散するノズルを用いて液滴状に散布する。
（３）散布作業は数時間にわたることもあることから、飛散防止剤がタンク内で分離しないように散布作業中はタンク内部で撹拌を行う。
（４）散布作業は高線量下であるため、遠隔操作が可能な遠隔散布装置により散布を行う。このようにすれば、作業員が放射性ガレキの近くに立ち入らずに散布作業を行うことができる。
【００４１】
本実施の形態によれば、以下のような効果が得られる。
（１）薬剤コストが安価である。例えば、本実施の形態の飛散防止剤によれば、飛散防止剤の費用を従来の１／２以下に抑えることができる。
（２）周辺環境への影響を低く抑えることができる。本実施の形態の飛散防止剤のｐＨ値は７前後であるため、漏えいによる水質汚染のリスクを低減することができる。
（３）放射線下での影響を受けない。実在する高線量ガレキ付近を模擬した放射線下で実施した上記のばく露試験の結果、放射線下でも高い飛散抑制効果を確認できた。
（４）カメラに付着しても容易に除去できる。本実施の形態の飛散防止剤は有機系の材料であるため、付着した部分を例えばアルコールで拭きとることにより除去可能である。
（５）遠隔散布装置を用いて飛散防止剤を散布することができるため、高線量ガレキに確実に飛散防止剤を散布し、放射性ダストの飛散を抑制することが可能である。
【００４２】
以上説明したように、本発明に係る放射性ダストの飛散抑制方法によれば、放射能汚染した飛散物に付着した放射性ダストの飛散を抑制する方法であって、アクリル系合成樹脂エマルジョンを主成分として含有する飛散防止剤を、放射能汚染した飛散物または放射性ダストに対して霧状または液滴状に散布するので、放射線下で高い飛散抑制効果が安価に得られるとともに、周辺環境への影響が低く、カメラなどに付着しても容易に除去できる。
【００４３】
また、本発明に係る他の放射性ダストの飛散抑制方法によれば、タンク内の水に飛散防止剤の原液を添加して所定の希釈濃度の飛散防止剤を作製した後、タンク内を撹拌しつつ飛散防止剤を霧状または液滴状に散布するので、散布前に所定の希釈濃度の飛散防止剤を大量に準備することができるとともに、散布中にタンク内で飛散防止剤が分離することを防止することができる。
【００４４】
また、本発明に係る他の放射性ダストの飛散抑制方法によれば、飛散防止剤を霧状または液滴状に散布可能な散布装置を放射能汚染した飛散物または放射性ダストの近くに配置した後、この散布装置を遠隔操作して飛散防止剤を放射能汚染した飛散物または放射性ダストに散布するので、作業員がガレキ等の飛散物または放射性ダストの近くに立ち入らずに散布作業を行うことができる。
【産業上の利用可能性】
【００４５】
以上のように、本発明に係る放射性ダストの飛散抑制方法は、高線量のガレキ等を撤去回収する際の放射性ダストの飛散抑制に有用であり、特に、放射性ダストの飛散抑制を安価に行うのに適している。
【符号の説明】
【００４６】
１  チャンバー
２  縦筒
３  ハンマー
４  鉄球
５  サンプル
ＤＭ  粉じん計
【図１】
2019164043.tif 000004
【図２】
2019164043.tif 000005
【図３】
2019164043.tif 000006
【図４】
2019164043.tif 000007